(57)【特許請求の範囲】
【請求項１】
超薄帯板の帯板初端を帯板加工設備または帯板処理設備から継続加工設備へと移送しまたは巻取ドラム内に引き入れるための装置であって、移送テーブル（１）を備え、移送テーブルの幅が被搬送帯板の幅以上であり、そのテーブル面が帯板の搬送方向で縦条溝（８）を有し、この縦条溝が被搬送帯板の最小幅よりも狭く、この縦条溝を通して、帯板の搬送方向で循環するコンベヤベルト（７）の張り側が移送テーブルの表面を越えて前方に揺動可能で、かつ被搬送帯板と摩擦式に結合可能となっている装置。
【請求項２】
前記コンベヤベルト（７）の張り側の下方に磁石が配置されており、該磁石が被搬送帯板を張り側の上面の方に吸引していることを特徴とする、請求項１に記載の装置。
【請求項３】
前記磁石が電磁石であることを特徴とする、請求項２に記載の装置。
【請求項４】
前記コンベヤベルト（７）は穿孔され、張り側の下方には吸引ノズルが配置されており、該吸引ノズルによって被搬送帯板を張り側の上面の方に吸引するようになっていることを特徴とする、請求項１に記載の装置。
【発明の詳細な説明】
【技術分野】
【０００１】
本発明は、特に超薄帯板の帯板初端を帯板加工設備または帯板処理設備から継続加工設備へと移送しまたは巻取ドラム内に引き入れるための装置に関する。
【背景技術】
【０００２】
この種の装置は、さまざまな実施において公知である。
【０００３】
例えば、特許文献１には、このような装置が開示されており、そこでは帯板引入れ台車が設けられており、この台車はドラムの後段に配置されている。帯板引入れ台車は揺動可能な締付装置を有し、この締付装置は前端にたがねを備えている。ドラム上にある帯板の束はこのたがねで開くことができ、その直後に帯板初端は液圧または磁力で把持され、縦移動可能な台車によって後続の帯板加工設備または帯板処理設備に運ばれ、つまりそこで例えば引き入れられている。
【０００４】
同様に、縦移動可能な台車が特許文献２により公知であり、この台車は、束から繰り出される帯板初端を挟み込みによっても把持して運んでいる。相応する機構は、ロールスタンドから進出する帯板を巻取ドラムへと運びもしくはそのなかに引き入れるのにも利用されている。
【０００５】
通常の帯板厚用には、これらの装置が適している。しかし、いわゆる超薄帯板は、これらでは取り扱うことができない。超薄帯板には、厚さ０．２ｍｍ未満の帯板が含まれる。これらの帯板を移送しまたは引き入れるには、従来、手で取り扱うことが不可欠である。というのも、例えば２つのロールスタンドの間または或るロールスタンドの出口と後続のドラムとの間で生じることがあるような長い距離にわたって薄い帯板を前進させることは、可能でないからである。実際において帯板は、押して動かしまたは慎重に引っ張らねばならなかったので、その際帯板が移動ラインの中心から制御不能に位置ずれするのを避けることができなかった。また、２つの設備部分の間のスペースが、介入を限定的にのみ可能とするほどに狭いことも、問題となっている。
【０００６】
しかし、このような位置ずれは、巻き始めるとき帯板が斜めからドラムに走り込むことを生じることがある。そのことからやはり、巻回時に折り目が現れて帯板を不可避的に破損することになるか、または帯板の伸縮を生じるかのいずれかとなる。
【特許文献１】独国特許出願公開第４０１８９５０号明細書
【特許文献２】独国特許出願公告第２６０４９０９号明細書
【発明の開示】
【発明が解決しようとする課題】
【０００７】
そこで本発明の課題は、特に移送時または引入れ時に超薄帯板の取扱いを、主に自動的に可能とする装置を提供することにある。
【課題を解決するための手段】
【０００８】
この課題は本発明によれば、特に超薄帯板の帯板初端を帯板加工設備または帯板処理設備から継続加工設備へと移送しまたは巻取ドラム内に引き入れるための装置であって、移送テーブルを備え、移送テーブルの幅が被搬送帯板の幅に少なくとも一致し、そのテーブル面が帯板の搬送方向で縦条溝を有し、この縦条溝が被搬送帯板の最小幅よりも狭く、この縦条溝を通して、帯板の搬送方向で循環するコンベヤベルトの張り側が移送テーブルの表面を越えて前方に揺動可能で、かつ被搬送帯板と時々摩擦式に結合可能となっている装置で解決されることになる。
【０００９】
従って、冒頭に述べた技術の現状とは異なり、帯板は把持されるのでなく、エンドレスに循環するコンベヤベルトに摩擦式に時々当接することになる。このような当接は、従来応用された把持よりも一層慎重に実施することができる。さらに、コンベヤベルトの幅が被搬送帯板の最小幅よりも小さく、基本的にごく狭い帯板領域が搬送用に把持されるにすぎない点が重要である。
【００１０】
ところで、取り扱われるべき帯板がさまざまな性質を有し得ること、詳細には帯板が磁性または非磁性であり得ることを区別しなければならない。
【００１１】
磁性帯板材料であるなら、エンドレスに循環するコンベヤベルトの張り側の下方に磁石が配置されており、これらの磁石が帯板初端をコンベヤベルトの方に、詳細にはコンベヤベルト張り側の上面の方に吸引している。永久磁石がこのために利用されるなら、永久磁石の作用はコンベヤベルトが揺動進出状態、つまりテーブル面より上方にある間だけ現れる。電磁石が使用されるなら、電磁石が作動している場合にのみ作用は現れる。重要なことは、作用が単に時々現れることである。後続設備への移送および／または引入れ後、帯板からコンベヤベルトの分離が行われ、帯板は次に、先行する出口と後続の入口との間を自由に走ることになる。
【００１２】
帯板が非磁性材料であるなら、コンベヤベルト張り側の下方に吸引ノズルが配置されており、コンベヤベルト自体は開口部または孔を備えている。その場合、超薄帯板は負圧によって時々摩擦式にコンベヤベルト張り側の上面に載置される。これらのコンベヤ方式の間で迅速な転換または切換を行うことが可能となるように、電磁石と吸引ノズルはコンベヤベルト張り側の下方に一緒に取付けておくこともできる。
【００１３】
好ましくは、装置全体が揺動可能に配置されている。すなわち、コンベヤベルトは利用のため搬送平面に動かされ、必要ないときには搬送平面から揺動進出し、引き続く運動経過を邪魔しないようになっている。
【００１４】
以下、本発明を一つの実施形態について説明するが、図面には基本原理のみが略示されている。
【発明を実施するための最良の形態】
【００１５】
図中符号１は移送テーブルであり、これは条溝８を有している。図１には最大帯板幅Ｘと最小帯板幅Ｙが示されており、条溝が被搬送帯板の最小帯板幅よりも狭いことがわかる。
【００１６】
符号３はロールスタンド（またはローラ列の最終スタンド）である。一点鎖線４はパスラインを示し、進出する帯板の搬送平面も示している。超薄帯板を移送しまたは引き入れるための本発明に係る装置は符号７のエンドレスで循環するコンベヤベルトを有している。
【００１７】
このコンベヤベルトは揺動可能に配置されており、そのことは符号２で示されている。両方の位置の図示は、コンベヤベルトが搬送平面にまたはそこから外に動くことが可能であり、つまり移送テーブル１の表面またはテーブル面から張り出しまたはその下に沈むことを示している。コンベヤベルト７の張り側の下方には、磁石または吸引ノズル６のいずれかがあり、これらを頼りに、スタンドから進出する帯板‐またはより正確に述べるなら帯板初端‐はコンベヤベルト７の張り側の上面に時々、すなわちコンベヤベルトの張り側がテーブル面の上方のその位置にある限り、摩擦式に当接可能であり、その結果、コンベヤベルトの運動によって被搬送帯板、特に帯板初端が連行されることになる。
【図面の簡単な説明】
【００１８】
【図１】簡素な態様で示した移送テーブルの平面図である。
【図２】揺動可能なコンベヤベルトの略側面図である。
【図１】
0004440254.tif 000002
【図２】
0004440254.tif 000003